(57)【要約】【課題】挿入孔と締結部材との間の隙間等に水が滞留しにくい内燃機関を提供する。【解決手段】内燃機関は、カバー２０を備える。カバー２０は、カバー２０の貫通孔２５を貫通する締結部材２１が機関本体１０の挿入孔２６に挿入されて機関本体１０に取り付けられる。カバー２０は、貫通孔２５を有する底壁２３と底壁２３の周縁から立設された側壁２４とを含み、機関本体１０に向かって窪む凹部２２と、機関本体１０と対向する側に設けられる溝２７を備える。機関本体１０が内燃機関が車両に搭載された状態で、挿入孔２６は、締結部材２１の挿入方向の先から基に向かって車両下側に傾斜しており、側壁２４は、その立設方向の基から先に向かって車両下側に傾斜しており、溝２７は、貫通孔２５を介して挿入孔２６及び締結部材２１の間の隙間と連通しつつ、貫通孔２５から車両下側に向かって延びている。【選択図】図２
2020016206.tif 000002
【特許請求の範囲】
【請求項１】
締結部材によって機関本体に取り付けられるカバーを備え、前記締結部材は、前記カバーの貫通孔を貫通しつつ、その先端部が前記機関本体の挿入孔に挿入されている内燃機関であって、
前記カバーは、
前記貫通孔を有する底壁と当該底壁の周縁から立設された側壁とを含み、前記機関本体に向かって窪む凹部と、
前記機関本体と対向する面に設けられた溝とを備え、
前記機関本体が車両に搭載された状態において、
前記挿入孔は、前記締結部材の挿入方向の先から基に向かって車両下側に傾斜しており、
前記側壁は、前記貫通孔よりも車両下側に位置する部分がその立設方向の基から先に向かって車両下側に傾斜しており、
前記溝は、前記貫通孔を介して前記挿入孔及び前記締結部材の間の隙間と連通しつつ、前記貫通孔から車両下側に向かって延びている内燃機関。
【発明の詳細な説明】
【技術分野】
【０００１】
本発明は、内燃機関に関する。
【背景技術】
【０００２】
従来、カバーが取り付けられた内燃機関が周知である。特許文献１に開示の内燃機関は、ボルトによって取り付けられたカバーを有している。内燃機関には、ボルトを挿入する挿入孔が設けられている。
【先行技術文献】
【特許文献】
【０００３】
【特許文献１】特開２０１３−１６７１９１号公報
【発明の概要】
【発明が解決しようとする課題】
【０００４】
ところで、カバーを取り付けた状態で、内燃機関の挿入孔とボルトとの間の隙間等に水が滞留すると、水の滞留箇所に腐食が発生するという問題があった。
【課題を解決するための手段】
【０００５】
上記課題を解決するための内燃機関は、締結部材によって機関本体に取り付けられるカバーを備え、前記締結部材は、前記カバーの貫通孔を貫通しつつ、その先端部が前記機関本体の挿入孔に挿入されている内燃機関であって、前記カバーは、前記貫通孔を有する底壁と当該底壁の周縁から立設された側壁とを含み、前記機関本体に向かって窪む凹部と、前記機関本体と対向する面に設けられた溝とを備え、前記機関本体が車両に搭載された状態において、前記挿入孔は、前記締結部材の挿入方向の先から基に向かって車両下側に傾斜しており、前記側壁は、前記貫通孔よりも車両下側に位置する部分がその立設方向の基から先に向かって車両下側に傾斜しており、前記溝は、前記貫通孔を介して前記挿入孔及び前記締結部材の間の隙間と連通しつつ、前記貫通孔から車両下側に向かって延びている。
【０００６】
この構成によれば、挿入孔と締結部材との間の隙間に浸入した水を溝に排出することができ、凹部内の水も凹部から排出することができる。したがって、挿入孔と締結部材との間の隙間や凹部に水が滞留しにくくなる。
【図面の簡単な説明】
【０００７】
【図１】カバーを取り付けた状態の内燃機関を示す図。
【図２】カバーの取付部分の縦断面図。
【図３】他の実施形態におけるカバーの取付部分の縦断面図。
【発明を実施するための形態】
【０００８】
内燃機関の一実施形態について、図１及び図２に従って説明する。各図では、車両前方を「Ｆｒ」、車両後方を「Ｒｒ」、車両前方に向かって車幅方向の右手側を「ＲＨ」、車両前方に向かって車幅方向の左手側を「ＬＨ」、車両上方を「Ｕｐ」、車両下方を「Ｄｗ」としてそれぞれ矢印の向きで示している。前後方向、車幅方向、及び上下方向は、それぞれ直交している。
【０００９】
図１に示すように、車両の前方に位置するエンジンルームに搭載される内燃機関１は、機関本体１０を備える。機関本体１０は、機関本体１０の車両前方に配置されている前面１１、車両後方に配置されている後面１２、車幅方向に配置される一対の側面１３、車両上方に配置されている上面１４及び車両下方に配置されている下面１５を備えている。機関本体１０は、車両に搭載された状態で、後面１２が車両の斜め下方向を向くように傾斜している。
【００１０】
機関本体１０の後面１２には、カバー２０が取り付けられている。本例のカバー２０は、機関本体１０で発生する振動や騒音の吸収、遮断、又はこれらの両方を行う。カバー２０は、例えば厚みのある発泡ウレタンからなり、機関本体１０において振動や騒音の発生部分の近傍に取り付けられる。
【００１１】
図１及び図２に示すように、カバー２０は、機関本体１０に複数の締結部材２１によって取り付けられている（図１では３箇所を図示）。締結部材２１は、例えばボルトであることが好ましい。
【００１２】
カバー２０には、締結部材２１が取り付けられる部分に、機関本体１０側に向かって窪む凹部２２を備えている。凹部２２は、底壁２３と、底壁２３の周縁から立設された側壁２４を有する。本実施形態の場合、側壁２４は、底壁２３に対して垂直に設けられている。機関本体１０が車両に搭載された状態で、凹部２２の側壁２４は、その立設方向の基から先に向かって車両下側に傾斜している。
【００１３】
凹部２２の底壁２３には、締結部材２１が貫通する貫通孔２５が設けられている。また、機関本体１０には、締結部材２１が挿入される挿入孔２６が設けられている。挿入孔２６には、締結部材２１（ボルト）に螺合する雌ねじが設けられている。締結部材２１は、カバー２０の貫通孔２５に外方から貫通しつつ機関本体１０の挿入孔２６に挿入される。貫通孔２５及び挿入孔２６は、締結部材２１の挿入方向の先から基へ向かって車両下側に傾斜している。
【００１４】
カバー２０は、機関本体１０に対向する面に設けられた溝２７を備える。後面１２と溝２７との間には隙間が存在する。溝２７は、その上端が貫通孔２５に車両下側から接続している。溝２７は、貫通孔２５を介して挿入孔２６及び締結部材２１の間の隙間と連通しつつ、貫通孔２５から車両下側へ延びている。また、カバー２０は、機関本体１０に対向する面と機関本体１０との間に空間３０を有している。空間３０は、その車両下側でカバー２０の外部へ開口している。溝２７は、その下端が空間３０に接続している。
【００１５】
本実施形態の作用効果について説明する。
（１）本実施形態において、機関本体１０が車両に搭載された状態において、挿入孔２６は、締結部材２１の挿入方向の先から基へ向かって傾斜し、溝２７は、挿入孔２６と締結部材２１との間の隙間と貫通孔２５を介して連通しつつ、貫通孔２５から車両下側に向かって延びている。この構成により、挿入孔２６と締結部材２１との間の隙間に侵入した水は、溝２７に排出される。したがって、挿入孔２６と締結部材２１との間の隙間に水が滞留しにくくなる。
【００１６】
（２）本実施形態において、機関本体１０が車両に搭載された状態において、凹部２２は、その側壁２４のうち貫通孔２５よりも車両下側に位置する部分が、その立設方向の基から先に向かって車両下側に傾斜している。この構成により、挿入孔２６と締結部材２１との間の隙間に浸入した水が貫通孔２５を通じて凹部２２にした場合にも、凹部２２内の水は、貫通孔２５下側に位置する側壁２４の傾斜に従って、凹部２２の外へ排出される。したがって、凹部２２に水が滞留しにくくなる。
【００１７】
（３）本実施形態において、溝２７は、その下端で空間３０に接続する構成とした。この構成により、溝２７に侵入した水は、空間３０へ排出され、さらに空間３０の開口よりカバー２０の外部へ排出される。したがって、溝２７に水が滞留しにくくなる。
【００１８】
なお、本実施形態は、以下のように変更して実施することができる。本実施形態及び以下の変更例は、技術的に矛盾しない範囲で互いに組み合わせて実施することができる。
・本実施形態において、凹部２２において底壁２３に対して側壁２４は、垂直に立設する態様としたが、これに限定されない。例えば、他の態様について、図３を用いて説明する。
【００１９】
図３に示すように、側壁２４は、その立設方向の基から先に向かって、凹部２２内の空間が広がるように底壁２３に対して傾斜している。この場合でも、側壁２４のうち貫通孔より車両下側の部分は、立設方向の基から先に向かって車両下側へ傾斜している。そのため、凹部２２に水が滞留しにくくなる。すなわち、凹部２２内に水が滞留しないように、側壁２４のうち貫通孔２５よりも車両下側に位置する部分が、その立設方向の基から先に向かって車両下側に傾斜していればよい。
【００２０】
・本実施形態において、溝２７は、貫通孔２５を介して挿入孔２６と連通しつつ、貫通孔２５から車両下側へ延びていればよく、溝２７の大きさや形状は、特に限定されない。また、溝２７の下端が空間３０に接続していることは、構成要素から省略可能である。すなわち、挿入孔２６と締結部材２１との間の隙間に浸入した水を、少なくとも溝２７に排出できればよい。ただし、溝２７に水を排出するにあたって、溝２７の下端が空間３０に接続していることで溝２７に水が滞留しにくくなる。なお、空間３０の形状は、特に限定されない。
【００２１】
・本実施形態において、締結部材２１はボルトに限定されない。例えばクリップなどを適用できる。
・本実施形態において、カバー２０の材質は発泡ウレタンに限定されない。例えば、繊維状プラスチックなどの他の吸音材及び遮音材を用いてもよい。また、カバー２０の外方に化粧カバーを有していてもよい。
【００２２】
・本実施形態において、機関本体１０において、カバー２０の取付位置は、特に限定されない。例えば、カバー２０の取付位置は、前面１１、側面１３、上面１４、及び下面１５でもよい。また、機関本体１０には、例えばオイルパン、クランクケース、シリンダブロック、シリンダヘッド、トランスミッションケース及びチェーンケースなどの部材が含まれる。
【００２３】
・本実施形態において、カバー２０は、振動や騒音を吸収又は遮断するものに限定されない。機関本体１０に取り付けられるカバーであれば、審美性を高めるための化粧カバーなど、どのような機能を有するものでもよい。
【符号の説明】
【００２４】
１…内燃機関、１０…機関本体、２０…カバー、２１…締結部材、２２…凹部、２３…底壁、２４…側壁、２５…貫通孔、２６…挿入孔、２７…溝、３０…空間。
【図１】
2020016206.tif 000003
【図２】
2020016206.tif 000004
【図３】
2020016206.tif 000005